(57)【特許請求の範囲】
【請求項１】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、また、鍵孔と平行に延在するストッパー杆と、ディスクタンブラーに開口した長穴との係合によりディスクタンブラーの行程を規制すると共に、上記ストッパー杆の位置をロッキングバーの移動方向の延長と交差するようにしてディスクタンブラーの剛性を増大させ、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたものにおいて、少なくとも１枚のディスクタンブラーの付勢方向における端部を外側に延長して細長い扇形の係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにし、他方、上記係止溝の開口端縁の内側、すなわち、内筒に近い方の部分を横断面が斜めになるように削いで、係止突起が係止溝に係入した状態ではこれらが面接触をして応力が集中しないようにしたことを特徴とする複合ディスクタンブラー錠。
【請求項２】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、また、鍵孔と平行に延在するストッパー杆と、ディスクタンブラーに開口した長穴との係合によりディスクタンブラーの行程を規制すると共に、上記ストッパー杆の位置をロッキングバーの移動方向の延長と交差するようにしてディスクタンブラーの剛性を増大させ、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたものにおいて、少なくとも１枚のディスクタンブラーの付勢方向における端部を外側に延長して細長い扇形の係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにし、他方、上記係止溝の開口端縁の内側、すなわち、内筒に近い方の部分を横断面が斜めになるように削いで、係止突起が係止溝に係入した状態ではこれらが面接触をして応力が集中しないようにしたことを特徴とする複合ディスクタンブラー錠。
【請求項３】
内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、また、鍵孔と平行に延在するストッパー杆と、ディスクタンブラーに開口した長穴との係合によりディスクタンブラーの行程を規制すると共に、上記ストッパー杆の位置をロッキングバーの移動方向の延長と交差するようにしてディスクタンブラーの剛性を増大させ、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたものにおいて、少なくとも１枚のディスクタンブラーの付勢方向における端部を外側に延長して細長い扇形の係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにし、他方、上記係止溝の開口端縁の内側、すなわち、内筒に近い方の部分を横断面が斜めになるように削いで、係止突起が係止溝に係入した状態ではこれらが面接触をして応力が集中しないようにしたことを特徴とする複合ディスクタンブラー錠。
【発明の詳細な説明】
【技術分野】
【０００１】
この発明は、所謂ディスクタンブラー錠とレバータンブラー錠を複合した新規な複合ディスクタンブラー錠に係り、特に、シリンダ錠を小型化することができる複合ディスクタンブラー錠に関する。
【背景技術】
【０００２】
本出願人は、先に、後記特許文献１の請求項１を以て、新規な複合ディスクタンブラー錠を提案した。
【０００３】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたことを特徴とするものである。
【０００４】
また、本出願人は、特許文献１の請求項３を以て、別の新規な複合ディスクタンブラー錠を提案した。
【０００５】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたことを特徴とするものである。
【０００６】
更にまた、本出願人は、後記特許文献２を以て、更に別の新規な複合ディスクタンブラー錠を提案した。
【０００７】
この複合ディスクタンブラー錠は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたことを特徴とするものである。
【特許文献１】特願２００７−１２１４８３
【特許文献２】特願２００７−１２６４２７
【発明の開示】
【発明が解決しようとする課題】
【０００８】
上記した特許文献１及び２に記載の複合ディスクタンブラー錠は、何れも充分にその機能を発揮し、実用されていて技術的には問題が無い。
【０００９】
この発明は、上記特許文献１及び２に記載の発明を改良し、シリンダ錠としての錠止力、すなわち、施錠状態にあるシリンダ錠の内筒を無理に回したとき、その外力に対抗する力やトルクを更に向上させた複合ディスクタンブラー錠を提供することを目的としている。
【課題を解決するための手段】
【００１０】
上記の目的を達成するため、請求項１に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の開口端縁に、ディスクタンブラーの付勢方向に突出する係合突起を一体に突設し、他方、ディスクタンブラー群の係合突起の夫々が鍵孔に挿通された合鍵の側端縁に形成された対応する窪みと係合したとき、各ディスクタンブラーの解錠切欠がロッキングバーの内側縁と整合するようにしたものにおいて、少なくとも１枚のディスクタンブラーの付勢方向における端部を外側に延長して係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにしたことを特徴とする。
【００１１】
また、請求項２に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成し、ディスクタンブラー群の鍵挿通孔の開口端縁が、鍵孔に挿通された合鍵の側端縁に形成されたＶ字形の鍵溝と係合したとき、各ディスクタンブラーの解錠切欠がロッキングバーの内側縁と整合するようにしたものにおいて、少なくとも１枚のディスクタンブラーの付勢方向における端部を外側に延長して係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにしたことを特徴とする。
【００１２】
更にまた、請求項３に記載の発明は、内周面の母線に沿ってカム溝を形成した外筒と、この外筒に回動可能に嵌合し、中心軸線に沿って鍵孔を開口させた内筒と、この内筒の母線に沿って延在し、内筒の外周部において半径方向に移動可能に案内されると共に、上記カム溝と係合する外側縁が外方に突出する方向に付勢されたロッキングバーとを有し、上記内筒の中心軸線に沿って形成された複数のスロットの夫々に、鍵孔を包囲できる大きさの鍵挿通孔を長手方向に沿って開口させたディスクタンブラーを、上記ロッキングバーの移動方向に垂直な方向に移動可能に収納すると共に一方向に付勢し、一方、上記ロッキングバーの内側縁に対向するディスクタンブラーの側端縁に解錠切欠を形成すると共に、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたものにおいて、少なくとも１枚のディスクタンブラーの付勢方向における端部を外側に延長して係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにしたことを特徴とする。
【発明の効果】
【００１３】
上記のように構成された請求項１乃至３に記載の発明による複合ディスクタンブラー錠は、タンブラーの動きはディスクタンブラー錠のそれと同じであり、また、施解錠のメカニズムはレバータンブラー錠のそれと同じである。
【００１４】
したがって、施錠状態の複合ディスクタンブラー錠の鍵孔に鋼鉄の板を差込み、内筒を無理に回そうとする力は、ロッキングバーを介してこれと直交する少なくとも１枚のディスクタンブラーの側端縁を幅方向に押圧するように作用する。
【００１５】
そして、複合ディスクタンブラー錠の錠止力はロッキングバーに印加されるディスクタンブラーからの反力であり、主にディスクタンブラーの横断面形状を円弧状に変形させる、換言すれば幅方向に座屈させようとする力に対する反力であるところ、この場合の座屈荷重はディスクタンブラーの幅の自乗に反比例するから、ディスクタンブラーが薄くなり、また、幅寸法が小さくなったとしても、錠止力は増大することはあっても減少することはない。
【００１６】
加えて、上記内筒を無理に回そうとする力は、タンブラーの係止突起と外筒の係止溝との係合を介して外筒にも分散して担持されるから、錠止力は更に増大する。
【００１７】
つまり、複合ディスクタンブラー錠の錠止力を更に増大させる、という本願発明の所期の効果を奏する。
【発明を実施するための最良の形態】
【００１８】
ディスクタンブラー錠とレバータンブラーを複合することに加え、少なくとも１枚のディスクタンブラーの付勢方向における端部を外側に延長して係止突起を形成し、一方、この係止突起に対向する外筒の部分に、これを貫通するように係止溝を形成し、施錠状態においては係止突起が係止溝に係入するが、解錠状態では係止突起がシアーライン以内に引込むようにしたので、前記引用文献１及び２に記載の複合ディスクタンブラー錠よりも錠止力が大きく小型のシリンダ錠を構成することができた。
【実施例１】
【００１９】
以下、この発明の一実施例を図面を参照して説明する。
図１において符号１は外筒を示し、この外筒１の内周面における所定の角度位置（図示の実施例では時計盤面に換算して６時の角度位置）に横断面が略Ｖ字形のカム溝２が形成されている。
【００２０】
この外筒１の内筒部には、中心軸線に沿って鍵孔４を開口させた内筒３が回動可能に嵌合されていて、通常のディスクタンブラー錠の内筒と同様に、この鍵孔に合鍵５（図３参照）を挿入して施解錠操作を行う。
【００２１】
また、内筒２の所定の角度位置における外周部に、図面を明瞭にするため付番しない、横断面が略凸字形のロッキングバー案内溝が形成されており、このロッキングバー案内溝中に、内筒の母線に沿って延在するロッキングバー６が内筒の半径方向に移動可能に案内されている。
【００２２】
そして、ロッキングバー６の両端に弾装された圧縮コイルばねとしてのロッキングバーばね７の弾力により、ロッキングバー６は外方に、換言すれば上記カム溝２に係入する方向、すなわち、図１で下方に付勢されている。
【００２３】
これらの構成は、前記したレバータンブラー錠のそれと同様であるから、更に詳細な説明は省略する。
【００２４】
一方、内筒２の軸線に沿って複数のスロット８、８が形成されており、各スロット８にディスクタンブラー９が内筒の半径方向に移動可能に収納されている。
【００２５】
このディスクタンブラー９の移動方向は、図１に示すように、上記ロッキングバー６の移動方向に垂直な方向、すなわち図１で左右方向である。
【００２６】
なお、前記ディスクタンブラー錠におけるディスクタンブラーの長さは内筒の直径とほぼ同じに設定されており、図１におけるディスクタンブラー９の長さはそれより短いのだが、この発明による複合ディスクタンブラー錠はディスクタンブラー錠の一種であるから、図１におけるものもディスクタンブラーと称することにする。
【００２７】
また、各ディスクタンブラー９の中央部には、鍵孔４を包囲できる大きさの鍵挿通孔１１が長手方向に沿って開口している。
【００２８】
そして、各ディスクタンブラー９は、タンブラーばね１２の弾力により、図示の実施例では長手方向の左方に付勢されている。
【００２９】
他方、ロッキングバー６の内側縁に対向するディスクタンブラーの側端縁の所定の位置に、ロッキングバーの内側縁が係入できる解錠切欠１３が形成されている。
【００３０】
また、ディスクタンブラーの鍵挿通孔の開口端縁、すなわち、鍵挿通孔１１の短い方の開口端縁にディスクタンブラーの付勢方向に突出する山形の係合突起１４が一体に突設されている。
【００３１】
また、図１において符号１６は鍵孔４と平行に延在するストッパー杆を、符号１７はディスクタンブラーに開口した長穴を示し、これらストッパー杆、長穴はディスクタンブラー９の行程を規制する。
【００３２】
ちなみに、上記ストッパー杆の位置をロッキングバー６の移動方向の延長と交差するようにすれば、ディスクタンブラーの剛性が増大する。
【００３３】
上記の構成は、前記特許文献１の請求項１に係る複合ディスクタンブラー錠と同じであるが、本発明による複合ディスクタンブラー錠においては、少なくとも１枚のディスクタンブラーの付勢方向における端部（図１で左端）が外側に延長されて係止突起１８が形成されている。
【００３４】
これに対応して、係止突起１８に対向する外筒１の部分に、これを貫通するように係止溝１９が形成されている。
【００３５】
図示の実施例における係止突起１８は図１に示すように細長い扇形であり、これに対応して、係止溝１９の開口端縁の内側、すなわち、内筒に近い方の部分は横断面が斜めになるように削がれている。
【００３６】
そのため、図１に示すように係止突起１８が係止溝１９に係入した状態で内筒が回動したとき、係止突起１８と係止溝１９とが面接触をして応力が集中しないように考慮されている。
【００３７】
ちなみに、上記のように係止溝１９の開口端縁の内側の部分の横断面が斜めになるように削ぐには、図２に示すように、大径部と小径部の間を円錐台形部で接続した形態のエンドミル２１を用い、外筒１を半径方向に貫通する下穴（付番しない）の所定の開口端縁に沿ってミーリング加工する。
【００３８】
なお、上記係止溝１９の母線方向の長さ、すなわち、図１の紙面方向の寸法は、この発明による複合ディスクタンブラー錠において選択された係止突起付のタンブラーの枚数によって一義的に定まる。
【００３９】
また、図１に示すように、施錠状態において係止突起１８と係止溝１９との間に隙間を設けるのは、合鍵ではない異鍵を鍵孔に挿入して内筒を回動しようとした場合、部品間の遊びによって内筒が少し、例えば数度回動するためである。
【００４０】
上記のように構成されたこの発明の一実施例による複合ディスクタンブラー錠は、その施解錠に用いる合鍵の側端縁の所定の箇所に、例えば擂鉢形の窪み２２（図３参照）が形成されており、図３に示すように合鍵５を鍵孔４に挿入したとき、各窪み２２が対応するディスクタンブラーの係合突起１４と整合する。
【００４１】
合鍵が鍵孔４に挿入されたときには、ディスクタンブラー群の係合突起１４の夫々が対応する窪み１５と係合し、解錠切欠１３がロッキングバー６の内側縁に整合し、同時に係止突起１８が内筒と外筒の間の摺動面であるシアーラインより内側に引込む。
【００４２】
したがって、合鍵を介して内筒３を所定の方向に回せば、カム溝２とロッキングバーの外側縁との間に生じる楔作用により、ロッキングバー６がカム溝２から押し出され、内筒中心軸線方向に移動しようとする。
【００４３】
このときにはロッキングバー６の移動を妨げるものは無いから、ロッキングバー６は内筒中心軸線方向に更に移動し、結局ロッキングバー６が外筒内周面に乗り上がり、このようにして複合ディスクタンブラー錠は解錠される。
【００４４】
鍵孔４に差込まれた鍵が異鍵であるときには、図１に示すように少なくとも１枚のディスクタンブラー９の解錠切欠１３とロッキングバー６との位置がずれる。
【００４５】
この状態で内筒を回すと、ロッキングバー６はディスクタンブラー９と直交する関係位置でディスクタンブラー９の側端縁に押し付けられる。
【００４６】
そして、ロッキングバー６がディスクタンブラー９に呈する力はディスクタンブラーを座屈させる方向に働き、前記したように、座屈荷重はディスクタンブラーの幅方向の寸法の自乗に反比例するので、ディスクタンブラーの寸法が小さくなるほど座屈荷重が増大する、という自然法則を利用し、この発明による複合ディスクタンブラー錠は小型化しても錠止力を大きく保つことができる。
【００４７】
同時に、部品間の遊びによる隙間を埋めて内筒３が所定の方向に少し回動し、係止突起１８が係止溝１９によって衝止され、その分ロッキングバー６がタンブラー９に押し付けられる力が減少するので、複合ディスクタンブラー錠の錠止力が倍増する。
【実施例２】
【００４８】
図示の実施例では合鍵の側端縁に形成された擂鉢形の窪みとディスクタンブラーの係合突起とを係合させるようにしたが、これは従来のディスクタンブラーと同様に、ディスクタンブラーの鍵挿通孔の開口端縁に係合突起を突設せずに直線状にしておき、これに対応して、合鍵の側端縁に略Ｖ字形の鍵溝を形成しても良い。
【００４９】
この実施例２に記載された複合ディスクタンブラー錠に係る発明は、特許請求の範囲の請求項２に記載されている。
【実施例３】
【００５０】
また、前記特許文献２に記載された複合ディスクタンブラー錠のように、各ディスクタンブラーの鍵挿通孔の合鍵の幅方向に沿う開口端縁に、内側に突出する係合突起を一体に突設し、他方、合鍵の上面及び／又は下面に、その長さ方向に延在し幅方向に屈曲する鍵溝を形成すると共に、合鍵の先端における鍵溝に上記係合突起が係入できる導入部を形成し、以て、合鍵を鍵孔に挿入することにより各ディスクタンブラーを合鍵の幅方向に駆動できるようにし、合鍵を完全に鍵孔に挿入したとき、各ディスクタンブラーの解錠切欠がロッキングバーの内側縁と整合するようにしたもの（図示しない）にも本発明を適用することができる。
【００５１】
この場合、合鍵の上面及び下面は、図３における合鍵５の上面、下面をいうものとし、この実施例３に記載された複合ディスクタンブラー錠に係る発明は、特許請求の範囲の請求項３に記載されている。
【図面の簡単な説明】
【００５２】
【図１】この発明の一実施例による複合ディスクタンブラー錠の要部拡大横断面図で、施錠状態を示す。
【図２】外筒の係止溝の加工の一例を示す線図。
【図３】この発明の一実施例による複合ディスクタンブラー錠の要部拡大横断面図で、解錠状態を示す。
【符号の説明】
【００５３】
１  外筒
２  カム溝
３  内筒
４  鍵孔
５  合鍵
６  ロッキングバー
７  ロッキングバーばね
８  スロット
９  ディスクタンブラー
１１  鍵挿通孔
１２  タンブラーばね
１３  解錠切欠
１４  係合突起
１６  ストッパー杆
１７  長穴
１８  係止突起
１９  係止溝
２１  エンドミル
２２  窪み
【図１】
0005522560.tif 000002
【図２】
0005522560.tif 000003
【図３】
0005522560.tif 000004